【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
ＩＰ通信網は複数のサーバを含み、無線基地局Ｂ１及びＢ２は、前記ＩＰ通信網に接続され、
サーバＳ１は、端末Ｍ１から、端末Ｍ２の電話番号又はホスト名を、前記無線基地局Ｂ１を経由して受け取り、前記サーバＳ１は、前記電話番号又は前記ホスト名を電話番号サーバに送り、前記電話番号サーバは、前記電話番号又は前記ホスト名に１対１で対応し、且つサーバＳ２を識別するＩＰアドレスを特定して返信し、前記サーバＳ２から、着信通知が、前記無線基地局Ｂ２を経由して前記端末Ｍ２に送られ、前記端末Ｍ２から応答が送られ、
前記サーバＳ２を経由せず、前記無線基地局Ｂ１、前記ＩＰ通信網及び前記無線基地局Ｂ２を経由する前記端末Ｍ１と前記端末Ｍ２の間の通信が行われ、
前記端末Ｍ１又はＭ２から送られる通信解放要求を基に、前記端末Ｍ１と前記端末Ｍ２の間の前記通信が終了することを特徴とする通信システム。
【請求項２】
ＩＰ通信網は複数のサーバを含み、無線基地局Ｂ１及びＢ２は前記ＩＰ通信網に接続され、
サーバＳ１は、端末Ｍ１から、端末Ｍ２の電話番号又はホスト名を、前記無線基地局Ｂ１を経由して受け取り、前記サーバＳ１は、前記電話番号又は前記ホスト名を電話番号サーバに送り、前記電話番号サーバは、前記電話番号又は前記ホスト名に１対１で対応し、且つサーバＳ２を識別するＩＰアドレスを特定して返信し、前記サーバＳ１及びＳ２により前記ＩＰアドレスが用いられて通信の制御が行われ、
前記サーバＳ２を経由せず、前記無線基地局Ｂ１、前記ＩＰ通信網及び前記無線基地局Ｂ２を経由して前記端末Ｍ１とＭ２の間の通信が行われることを特徴とする通信システム。
【請求項３】
ＩＰ通信網は複数のサーバを含み、無線基地局Ｂ１、Ｂ２及びＢ３は前記ＩＰ通信網に接続され、
サーバＳ１は、端末Ｍ１から、端末Ｍ２の電話番号又はホスト名を、前記無線基地局Ｂ１を経由して受け取り、前記サーバＳ１は前記端末Ｍ２の電話番号又はホスト名を電話番号サーバに送り、前記電話番号サーバは、前記端末Ｍ２の電話番号又はホスト名に１対１で対応するサーバＳ２のＩＰアドレスを特定して前記サーバＳ１に返信し、前記サーバＳ２から着信通知が前記無線基地局Ｂ２を経由して前記端末Ｍ２に送られ、応答が前記端末Ｍ２から前記サーバＳ２に送られ、
前記端末Ｍ１から、音声又はデータが、前記サーバＳ２を経由せず、前記無線基地局Ｂ１、前記ＩＰ通信網及び前記無線基地局Ｂ２を経由して前記端末Ｍ２に送られ、
前記端末Ｍ１の通信を中継する無線基地局の変更要求を基に、前記端末Ｍ１から前記音声又はデータが、前記無線基地局Ｂ３、前記ＩＰ通信網及び前記無線基地局Ｂ２を経由して前記端末Ｍ２に送られて前記端末Ｍ１及びＭ２の間の通信が行われ、前記端末Ｍ１又はＭ２から送られる通信切断要求を基に、前記端末Ｍ１及びＭ２の間の前記通信が終了することを特徴とする通信システム。
【請求項４】
ＩＰ通信網はサーバを含み、
無線基地局Ｂ１及びＢ２は前記ＩＰ通信網に接続され、
前記ＩＰ通信網は、端末Ｍ２の電話番号又はホスト名を、前記無線基地局Ｂ１を経由して端末Ｍ１から受け取り、前記ＩＰ通信網は、前記端末Ｍ２の電話番号又は前記ホスト名を基にサーバのＩＰアドレスを定め、前記サーバから、着信通知が、前記無線基地局Ｂ２を経由して前記端末Ｍ２に送られ、応答が前記端末Ｍ２から送られ、
前記端末Ｍ１及びＭ２の間で前記サーバを経由せず、前記無線基地局Ｂ１、前記ＩＰ通信網及び前記無線基地局Ｂ２を経由して音声又はデータを用いた通信が行われることを特徴とする通信システム。
【請求項５】
ＩＰ通信網は複数のサーバを含み、無線基地局Ｂ１及びＢ２は前記ＩＰ通信網に接続され、
サーバＳ１は、端末Ｍ１から、端末Ｍ２の電話番号又はホスト名を、前記無線基地局Ｂ１を経由して受け取り、前記サーバＳ１は、前記電話番号又はホスト名を電話番号サーバに送り、前記電話番号又はホスト名に１対１で対応し、且つサーバＳ２を識別するＩＰアドレスを受け取り、
前記サーバＳ１及びＳ２の間の通信インタフェースはＮＮＩ（Ｎｅｔｗｏｒｋ  Ｎｅｔｗｏｒｋ  Ｉｎｔｅｒｆａｃｅ）を用い、さらに前記ＩＰアドレスを用いて通信の制御が行われ、前記無線基地局Ｂ１を経由して前記端末Ｍ１と前記サーバＳ１の間の通信インタフェースはＵＮＩ（Ｕｓｅｒ  Ｎｅｔｗｏｒｋ  Ｉｎｔｅｒｆａｃｅ）を用いて通信の制御が行われ、前記Ｍ１及びＭ２間の通信は、前記サーバＳ２を経由せず、前記無線基地局Ｂ１、前記ＩＰ通信網及び前記無線基地局Ｂ２を経由して行われることを特徴とする通信システム。
【請求項６】
ＩＰ通信網は論理端子を含み、無線基地局Ｂ１は論理端子Ｌ１に接続され、無線基地局Ｂ２は論理端子Ｌ２に接続され、端末Ｔ２の電話番号又はホスト名が端末Ｔ１から前記無線基地局Ｂ１を経由して前記ＩＰ通信網に送られ、前記電話番号又は前記ホスト名を基に、前記論理端子Ｌ１と前記論理端子Ｌ２の間で、ＩＰパケットを含む内部パケットが転送される仮想専用線が定まり、前記端末Ｔ１から音声又はデータが無線基地局Ｂ１を経由して送られ、前記音声又はデータを含む前記ＩＰパケットが前記論理端子Ｌ１に送られ、前記音声又はデータを含む前記ＩＰパケットが前記仮想専用線を経由して前記論理端子Ｌ１から前記論理端子Ｌ２に送られ、前記音声又はデータが無線基地局Ｂ２を経由して前記端末Ｔ２に送られ、前記ＩＰ通信網は通信解放要求を受け取り、前記仮想専用線が抹消されることを特徴とするＩＰ通信システム。
【請求項７】
ＩＰ通信網は論理端子を含む網ノード装置を含み、無線基地局Ｂ１は、網ノード装置Ｎ１の論理端子Ｌ１に接続され、無線基地局Ｂ２は、網ノード装置Ｎ２の論理端子Ｌ２に接続され、端末Ｔ２の電話番号又はホスト名が、端末Ｔ１から前記無線基地局Ｂ１を経由して前記ＩＰ通信網に送られ、前記電話番号又は前記ホスト名を基に前記網ノード装置Ｎ１の前記論理端子Ｌ１と前記網ノード装置Ｎ２の前記論理端子Ｌ２の間で、ＩＰパケットを含む内部パケットが転送される仮想専用線が定まり、前記端末Ｔ１から音声又はデータが無線基地局Ｂ１を経由して送られ、前記音声又はデータを含む前記ＩＰパケットが前記論理端子Ｌ１に送られ、前記音声又はデータを含む前記ＩＰパケットが前記仮想専用線を経由して前記論理端子Ｌ１から前記論理端子Ｌ２に送られ、前記音声又はデータが前記無線基地局Ｂ２を経由して前記端末Ｔ２に送られ、前記ＩＰ通信網は通信解放要求を受け取り、前記仮想専用線が抹消されることを特徴とするＩＰ通信システム。
【請求項８】
ＩＰ通信網はサーバを含み、無線基地局Ｂ１及びＢ２は前記ＩＰ通信網に接続され、端末Ｔ１から、端末Ｔ２の電話番号又はホスト名が送られ、サーバＤ１は前記電話番号又は前記ホスト名を受取り、前記サーバＤ１により前記電話番号又は前記ホスト名を基に、サーバＳ２のＩＰアドレスＳ２Ａが定まり、サーバＳ１と前記サーバＳ２により、前記ＩＰアドレスＳ２Ａと通信の制御に関わる情報を含むＩＰパケットを用いて前記端末Ｔ１と前記端末Ｔ２間の通信の制御が行われ、前記端末Ｔ１とＴ２の間で、前記サーバＳ２を経由せず、前記無線基地局Ｂ１と前記ＩＰ通信網及び無線基地局Ｂ２を経由して通信が行われることを特徴とする通信システム。
【請求項９】
ＩＰ通信網は複数のサーバを含み、
無線基地局Ｂ１及びＢ２は前記ＩＰ通信網に接続され、
端末Ｔ１から、端末Ｔ２又はサーバＷ２の電話番号又はホスト名が前記無線基地局Ｂ１を経由して送られ、
サーバＳ１は、前記電話番号又は前記ホスト名を含むＩＰパケットを受取り、サーバＤ１は、前記サーバＳ１から前記電話番号又は前記ホスト名を受け取り、前記電話番号又は前記ホスト名を基に、前記端末Ｔ２又は前記サーバＷ２の通信の制御を行うサーバＳ２のＩＰアドレスＳ２Ａを返信し、
前記サーバＳ１と前記サーバＳ２により、前記ＩＰアドレスＳ２Ａと、前記端末Ｔ１と前記端末Ｔ２又は前記サーバＷ２間の通信の制御を行うプロトコルが用いられて、前記端末Ｔ１と前記端末Ｔ２又は前記サーバＷ２間の通信の制御が行われ、
前記端末Ｔ１と前記端末Ｔ２又は前記サーバＷ２の間で、前記サーバＳ２を経由せず、前記無線基地局Ｂ１と前記ＩＰ通信網及び無線基地局Ｂ２を経由して通信が行われることを特徴とするＩＰ通信システム。
【請求項１０】
ＩＰ通信網は複数のサーバを含み、
無線基地局Ｂ１及びＢ２は前記ＩＰ通信網に接続され、
端末Ｔ１から、端末Ｔ２又は前記サーバＷ２の電話番号又はホスト名が、無線基地局Ｂ１を経由して送られ、
サーバＳ１は、前記電話番号又は前記ホスト名を含むＩＰパケットを受取り、サーバＤ１は、前記サーバＳ１から前記電話番号又は前記ホスト名を受取り、前記電話番号又は前記ホスト名を基に、前記端末Ｔ２又は前記サーバＷ２の通信の制御を行うサーバＳ２のＩＰアドレスＳ２Ａを返信し、前記ＩＰアドレスＳ２Ａ及び通信制御に関わる情報を含むＩＰパケットが送受信されて、前記端末Ｔ１と前記端末Ｔ２又は前記サーバＷ２間の通信の制御が前記サーバＳ１及びＳ２によって行われ、
前記端末Ｔ１と前記端末Ｔ２又は前記サーバＷ２の間で、前記サーバＳ２を経由せず、前記無線基地局Ｂ１と前記ＩＰ通信網及び無線基地局Ｂ２を経由して通信が行われることを特徴とするＩＰ通信システム。
【請求項１１】
ＩＰ通信網はサーバＡを含み、
前記ＩＰ通信網には無線基地局Ｂ１及びＢ２が接続され、
前記サーバＡは、端末Ｔ１から前記無線基地局Ｂ１を経由して送られる端末Ｔ２又はサーバＢの電話番号又はホスト名等の識別子を受取り、前記端末Ｔ２又は前記サーバＢの通信の制御を行い、且つ前記端末Ｔ１と前記端末Ｔ２又は前記サーバＢの間の前記ＩＰ通信網を経由する通信を中継しないサーバＣのＩＰアドレスを、前記識別子を基に検索して返信し、前記端末Ｔ１と前記端末Ｔ２又は前記サーバＢの間の、前記無線基地局Ｂ１と前記ＩＰ通信網及び前記無線基地局Ｂ２を経由する通信であり、且つ前記サーバＣにより前記ＩＰアドレスが用いられて制御される通信が行われることを特徴とするＩＰ通信システム。
【請求項１２】
ＩＰ通信網は複数のサーバを含み、
無線基地局Ｂ１及びＢ２は前記ＩＰ通信網に接続され、
端末Ｔ１から、端末Ｔ２又はサーバＷ２の電話番号又はホスト名が前記無線基地局Ｂ１を経由して送られ、
サーバＳ１は、前記電話番号又は前記ホスト名を含むＩＰパケットを受取り、サーバＤ１は、前記サーバＳ１から前記電話番号又は前記ホスト名を受取り、前記電話番号又は前記ホスト名を基に、前記端末Ｔ２又は前記サーバＷ２の通信の制御を行うサーバＳ２のＩＰアドレスＳ２Ａを返信し、前記サーバＳ１及び前記サーバＳ２により、前記端末Ｔ１と前記端末Ｔ２又は前記サーバＷ２間の通信の制御が前記ＩＰアドレスＳ２Ａを用いて行われ、
前記端末Ｔ１と前記端末Ｔ２又は前記サーバＷ２の間で、前記サーバＳ２を経由せず、前記無線基地局Ｂ１と前記ＩＰ通信網及び前記無線基地局Ｂ２を経由して通信が行われることを特徴とするＩＰ通信システム。
【請求項１３】
前記ＩＰ通信網は公衆電話交換網又は携帯通信網に接続され、前記公衆電話交換網又は前記携帯通信網には端末Ｔ４が接続され、前記端末Ｍ１又は前記端末Ｔ１は前記端末Ｔ４と通信を行う請求項１乃至１２のいずれかに記載の通信システム。
【請求項１４】
前記端末Ｍ１又は前記端末Ｔ１は前記論理端子Ｌ１又は前記ＩＰ通信網に接続され、前記端末Ｍ２又は前記端末Ｔ２は前記論理端子Ｌ２又は前記ＩＰ通信網に接続され、
前記端末Ｍ１又は前記端末Ｔ１は前記端末Ｍ２又は前記端末Ｔ２と、前記仮想専用線又は前記ＩＰ通信網を経由して通信を行う請求項１乃至１２のいずれかに記載の通信システム。
【請求項１５】
前記ＩＰ通信網はインターネットに接続され、前記インターネットには端末Ｔ６が接続され、前記端末Ｍ１又は前記端末Ｔ１は前記端末Ｔ６と通信を行う請求項１乃至１２のいずれかに記載の通信システム。
【請求項１６】
前記ＩＰ通信網は他のＩＰ通信網に接続され、前記他のＩＰ通信網には端末Ｔ７が接続され、前記端末Ｍ１又は前記端末Ｔ１は前記端末Ｔ７と通信を行う請求項１乃至１２のいずれかに記載の通信システム。
【請求項１７】
前記端末Ｍ１又は前記端末Ｔ１と前記ＩＰ通信網又は前記サーバＳ１の間の通信インタフェースはＵＮＩ（Ｕｓｅｒ  Ｎｅｔｗｏｒｋ  Ｉｎｔｅｒｆａｃｅ）である請求項１乃至４又は請求項６乃至１２のいずれかに記載の通信システム。
【請求項１８】
前記サーバＳ１と前記サーバＳ２の間の通信インタフェースがＮＮＩ（Ｎｅｔｗｏｒｋ  Ｎｅｔｗｏｒｋ  Ｉｎｔｅｒｆａｃｅ）である請求項１乃至３、請求項８乃至１０又は１２のいずれかに記載の通信システム。
【請求項１９】
網ノード装置Ｎ３の論理端子Ｌ３又は前記ＩＰ通信網に無線基地局Ｂ３が接続され、前記端末Ｍ１又は前記端末Ｔ１と前記端末Ｍ２又は前記端末Ｔ２間の通信を中継する無線基地局の変更要求を基に、前記端末Ｍ１又は前記端末Ｔ１と前記端末Ｍ２又は前記端末Ｔ２間の通信が、前記無線基地局Ｂ３と前記仮想専用線又は前記ＩＰ通信網及び前記無線基地局Ｂ２を経由して行われる請求項１乃至１２のいずれかに記載のＩＰ通信システム。
【請求項２０】
無線基地局を経由して第１の端末から送られる第２の端末又は第２のサーバの国際電話番号体系に基づく電話番号又はホスト名等の識別子を受取り、前記識別子を基に、前記第２の端末又は前記第２のサーバの通信の制御を行い、且つ前記第１の端末と前記第２の端末又は前記第２のサーバ間の通信を中継しない第３のサーバのＩＰアドレスを検索し、返信することを特徴とするサーバ。
【請求項２１】
前記無線基地局を経由しないで第１の端末から送られる第２の端末又は第２のサーバの国際電話番号体系に基づく電話番号又はホスト名等の識別子を受取る請求項２０に記載のサーバ。